(57)【要約】【課題】縦主筋やフープ筋に余分な応力を付加しないで鉄筋用スペーサーを短時間で簡単に鉄筋籠に固定する。【解決手段】縦主筋４とフープ筋５の交差している位置において１対のフープ筋係止フック１４で縦主筋４を挟み込み、フープ筋５の縦主筋４の両側近傍部分にフープ筋係止フック１４のフープ筋保持部１３を圧入して係止させ、主筋係止部９の主筋保持フック１６を、フープ筋係止フック１４を保持したフープ筋５の下側の縦主筋４に圧入して縦主筋４を挟み込んで保持して、鉄筋用スペーサー１を鉄筋籠６のフープ筋５と縦主筋４にはめ込むだけで取り付ける。【選択図】    図３
2007126852.tif 000002
【特許請求の範囲】
【請求項１】
位置規制部とフープ筋係止部及び主筋係止部を有し、
前記位置規制部は、ほぼ台形に形成され、鉄筋籠を構成する縦主筋とほぼ平行な位置規制面と、該位置規制面の両端に形成された傾斜脚面を有し、
前記フープ筋係止部は、前記位置規制部の一方の傾斜脚面先端部に設けられ、前記位置規制面側に開口部を有し、鉄筋籠を構成するフープ筋を挟み込んで保持する半円弧状のフープ筋保持部を有する１対のフープ筋係止フックが縦主筋の外径より大きな間隔を隔てて形成され、
前記主筋係止部は、前記位置規制部の他方の傾斜脚面先端部から外側に張り出した面の前記位置規制面側と反対側に設けられ、前記位置規制面側と反対側に開口部を有し、縦主筋を挟み込んで保持するほぼＵ字状に形成された主筋保持フックを有することを特徴とする鉄筋用スペーサー。
【発明の詳細な説明】
【技術分野】
【０００１】
この発明は、建築物の基礎となる基礎杭や地下連続壁等の施工のために地面を掘進した縦孔に建て込む鉄筋籠が縦孔に対して所定の位置に配置されるように使用する鉄筋用スペーサー、特に鉄筋籠に対する取付作業の容易化に関するものである。
【背景技術】
【０００２】
建築物の基礎となる基礎杭を構築する基礎杭工法は、図２に示すように、地盤２を掘進して縦孔３を開設した後、複数の縦主筋４と縦主筋４を所定の間隔で取り囲んだ配置されせん断力に対抗するフープ筋５で構成された鉄筋籠６を縦孔３内に建て込み、この縦孔３内にコンクリートを打設して現場打ちによる基礎杭を構築している。
【０００３】
この縦孔３内に建て込む鉄筋籠６を、縦孔３に対して所定の位置に配置してかぶりを確保するため鉄筋用スペーサーが使用されている。従来の鉄筋用スペーサー１ａは、図５に示すように、１枚の金属板をほぼ台形に折り曲げて形成し、上面に縦主筋４とほぼ平行な位置規制面１０を有する位置規制部７と、位置規制部１０の傾斜した両端部から外側に張り出す取付部２０とを有し、この鉄筋用スペーサー１ａの取付部２０を鉄筋籠６の隣接するフープ筋５に溶接して固定している。
【０００４】
このように鉄筋用スペーサー１ａをフープ筋５に溶接して固定していると、複数の鉄筋用スペーサー１ａを溶接するのに多くの時間を要するとともにフープ筋５の溶接部分の強度を著しく低下させてしまうという短所がある。また、各フープ筋５の間隔を一定にすることは困難であり、鉄筋用スペーサー１ａを所定の位置に取り付けることができない場合もあった。
【０００５】
このような短所を改善するために、溶接によらないで縦主筋４とフープ筋５に係止する鉄筋用スペーサーが特許文献１に開示されている。この鉄筋用スペーサー１ｂは、図６に示すように、ほぼ台形に折り曲げて形成した位置規制部７と、位置規制部７の一方の傾斜脚面２１には、傾斜脚面２１の先端部を曲げて形成したボルト支持フランジ２２と、ボルト支持フランジ２２から縦主筋４と交差する延長状態に張り出して形成した主筋係止フック２３及びボルト支持フランジ２２に固定されたナット２４に捩じ込まれた押圧ボルト２５を有し、他方の傾斜脚面２６は先端部に縦主筋４の外周面と係止する係止爪２７及び傾斜脚面２６から張り出して折り曲げられた左右１対のフープ筋係止フック２８とを有する。
【０００６】
この鉄筋用スペーサー１ｂを鉄筋籠６に取り付けるときは、図７に示すように、傾斜脚面２１に設けた主筋係止フック２３を縦主筋５に係止し、傾斜脚面２６に設けたフープ筋係止フック２８をフープ筋５に係止して係止爪２７を縦主筋５に押し当てた状態でボルト支持フランジ２２の押圧ボルト２５を捩じ込んで縦主筋４に押し付けて、鉄筋用スペーサー１ｂを縦主筋４とフープ筋５との交差部に固定している。
【特許文献１】特開２００３−１２００３０号公報
【発明の開示】
【発明が解決しようとする課題】
【０００７】
特許文献１に示すように、主筋係止フック２３とフープ筋係止フック２８を縦主筋４とフープ筋４に係止した後に押圧ボルト２５で鉄筋用スペーサー１ｂを縦主筋４とフープ筋５に固定していると、鉄筋籠６を縦孔３に建て込むときに鉄筋用スペーサー１ｂが脱落しないように鉄筋用スペーサー１ｂ毎に押圧ボルト２５を強く締め付けて縦主筋４に押し付けて固定する必要があり、その締め付け作業に多くの時間を要してしまう。また、押圧ボルト２５を縦主筋４に強く押し付けるため、縦主筋４の押圧ボル２５を押し付けた部分に大きな応力を加え、その部分の強度が劣化する危険性がある。
【０００８】
この発明は、このような短所を改善し、縦主筋やフープ筋に余分な応力を付加しないで短時間で簡単に鉄筋籠に固定することができる鉄筋用スペーサーを提供することを目的とするものである。
【課題を解決するための手段】
【０００９】
この発明の鉄筋用スペーサーは、位置規制部とフープ筋係止部及び主筋係止部を有し、位置規制部は、ほぼ台形に形成され、鉄筋籠を構成する縦主筋とほぼ平行な位置規制面と、位置規制面の両端に形成された傾斜脚面を有し、フープ筋係止部は、位置規制部の一方の傾斜脚面先端部に設けられ、位置規制面側に開口部を有し、鉄筋籠を構成するフープ筋を挟み込んで保持する半円弧状のフープ筋保持部を有する１対のフープ筋係止フックが縦主筋の外径より大きな間隔を隔てて形成され、主筋係止部は、位置規制部の他方の傾斜脚面先端部から外側に張り出した面の位置規制面側と反対側に設けられ、位置規制面側と反対側に開口部を有し、縦主筋を挟み込んで保持するほぼＵ字状に形成された主筋保持フックを有することを特徴とする。
【発明の効果】
【００１０】
この発明は、縦主筋とフープ筋の交差している位置において１対のフープ筋係止フックで縦主筋を挟み込み、フープ筋の縦主筋の両側近傍部分にフープ筋係止フックのフープ筋保持部を圧入して係止させ、主筋係止部の主筋保持フックを、フープ筋係止フックを保持したフープ筋の下側の縦主筋に圧入して縦主筋を挟み込んで保持することにより、鉄筋用スペーサーを鉄筋籠のフープ筋と縦主筋にはめ込むだけで取り付けることができ、複数の鉄筋用スペーサーを鉄筋籠に容易に取り付けることができ、作業性を向上することができるとともにフープ筋と縦主筋に局部的な応力を加えないですむ。
【００１１】
また、主筋係止部で保持する縦主筋の位置より上の位置にあるフープ筋を１対のフープ筋係止フックで挟み込んで保持するから、鉄筋籠を縦孔に建て込むときに、鉄筋用スペーサーが脱落することを防ぐことができる。
【発明を実施するための最良の形態】
【００１２】
図１はこの発明の鉄筋用スペーサーの構成を示す斜視図である。鉄筋用スペーサー１は、図２に示すように、建築物の基礎となる基礎杭を構築するため地盤２を掘進した縦孔３に建て込む複数の縦主筋４と縦主筋４を所定の間隔で取り囲んだ配置されたフープ筋５で構成された鉄筋籠６を縦孔３に対して所定の位置に配置するための位置決めに使用するものであり、位置規制部７とフープ筋係止部８及び主筋係止部９を有し、金属板又は強化プラスチックで形成されている。位置規制部７は、ほぼ台形に形成され、鉄筋籠６を構成する縦主筋４とほぼ平行な位置規制面１０と、位置規制面１０の両端に形成された傾斜脚面１１，１２を有する。フープ筋係止部８は、位置規制部７の一方の傾斜脚面１１の先端部に設けられ、位置規制面１０側に開口部を有し、鉄筋籠６を構成するフープ筋５を挟み込んで保持する半円弧状のフープ筋保持部１３を有する１対のフープ筋係止フック１４が縦主筋４の外径より大きな間隔を隔てて形成されている。主筋係止部９は、弾力性を有する金属板や強化プラスチックで形成され、位置規制部７の他方の傾斜脚面１２の先端部から外側に張り出した取付面１５の位置規制面１０側と反対側に設けられ、位置規制面１０とは反対側に開口部を有し、縦主筋４を挟み込んで保持するほぼＵ字状に形成された主筋保持フック１６を有する。
【００１３】
この鉄筋用スペーサー１を鉄筋籠６のフープ筋５と縦主筋４に取り付けるときは、図３（ａ）に示すように、縦主筋４とフープ筋５の交差している位置において１対のフープ筋係止フック１４で縦主筋４を挟み込み、フープ筋５の縦主筋４両側近傍部分にフープ筋係止フック１４のフープ筋保持部１３を圧入して係止させる。この状態で主筋係止部９の主筋保持フック１６を、フープ筋係止フック１４を保持したフープ筋５の下側の縦主筋４に圧入して、図３（ｂ）に示すように、縦主筋４を挟み込んで保持し、鉄筋用スペーサー１をフープ筋５と縦主筋４に取り付ける。
【００１４】
このようにして鉄筋用スペーサー１を鉄筋籠６のフープ筋５と縦主筋４にはめ込むだけで取り付けられるから、複数の鉄筋用スペーサー１を鉄筋籠６に容易に取り付けることができ、作業性を向上することができる。
【００１５】
また、主筋係止部９で保持する縦主筋４の位置より上の位置にあるフープ筋５を１対のフープ筋係止フック１４に設けられた半円弧状のフープ筋保持部１３で挟み込んで保持するから、鉄筋籠６を縦孔２に建て込むときに、鉄筋用スペーサー１が脱落することを防ぐことができる。
【００１６】
前記説明では鉄筋用スペーサー１のフープ筋係止フック１４のフープ筋保持部１３を半円弧状に形成し、主筋係止部９の主筋保持フック１６をほぼＵ字状に形成した場合について説明したが、図４の部分断面図の（ａ）に示すように、フープ筋係止フック１４の半円弧状に形成されたフープ筋保持部１３の開口部にフープ筋５を案内するガイド部１３ａを設け、図４（ｂ）に示すように、ほぼＵ字状に形成した主筋保持フック１６の開口部の両端に縦主筋４を案内するガイド部１６ａを設けても良い。このようにフープ筋係止フック１４のフープ筋保持部１３と主筋保持フック１６の開口部にガイド部１３ａ，１６ａを設けることにより、鉄筋用スペーサー１をフープ筋５と縦主筋４に容易に圧入して取り付けることができる。
【図面の簡単な説明】
【００１７】
【図１】この発明の鉄筋用スペーサーの構成を示す斜視図である。
【図２】地盤を掘進した縦孔に建て込んだ鉄筋籠を示す断面図である。
【図３】鉄筋用スペーサーをフープ筋と縦主筋に取り付けた状態を示す配置図である。
【図４】他のフープ筋係止フックと主筋保持フックを示す部分断面図である。
【図５】従来の鉄筋用スペーサーを取り付けた状態を示す配置図である。
【図６】従来の他の鉄筋用スペーサーの構成を示す斜視図である。
【図７】従来の他の鉄筋用スペーサーを取り付けた状態を示す配置図である。
【符号の説明】
【００１８】
１；鉄筋用スペーサー、２；地盤、３；縦孔、４；縦主筋、５；フープ筋、
６；鉄筋籠、７；位置規制部、８；フープ筋係止部、９；主筋係止部、
１０；位置規制面、１１，１２；傾斜脚面、１３；フープ筋保持部、
１４；フープ筋係止フック、１５；取付面、１６；主筋保持フック。
【図１】
2007126852.tif 000003
【図２】
2007126852.tif 000004
【図３】
2007126852.tif 000005
【図４】
2007126852.tif 000006
【図５】
2007126852.tif 000007
【図６】
2007126852.tif 000008
【図７】
2007126852.tif 000009